(57)【要約】【課題】カラーパッチのサンプル色数を少なくしても、精度の高い色変換テーブルを作成できるようにする。【解決手段】ターゲットとするプリンタが出力した、複数の基本色ＣＭＹＫそれぞれの一次色グラデーションパッチからなる一次カラーパッチを測色対象にして、上記一次カラーパッチ上の各サンプル色を測色する（Ｓ３１，Ｓ３２）。一次カラーパッチの測色結果に基づいて、プリンタの色再現域を求め、この色再現域に基づいて基本色毎に代表色とするサンプル色を複数決定する（Ｓ３３）。その後、代表色の一次色、二次色及び三次色をサンプル色として含む二次カラーパッチをターゲットのプリンタで印刷し、二次カラーパッチ上の各サンプル色を測色する（Ｓ３４〜Ｓ３６）。そして、最後に、測色結果に基づいて色変換テーブルやＩＣＣプロファイルを作成する（Ｓ３７，Ｓ３８）。【選択図】　　　図３
2004112270.tif 000002
【特許請求の範囲】
【請求項１】
ターゲットとする出力機器が出力した、複数の基本色それぞれの一次色グラデーションパッチからなる一次カラーパッチを測色対象にして、前記一次カラーパッチ上の各サンプル色をそれぞれ測色する一次カラーパッチ測色ステップと、
前記一次カラーパッチの測色結果に基づいて、前記各基本色毎に代表色とするサンプル色を複数決定する代表色決定ステップと、
該代表色決定ステップで決定した各代表色の一次色、二次色及び三次色を含む二次カラーパッチを、前記出力機器から出力させるための二次カラーパッチデータを作成する二次カラーパッチデータ作成ステップと、
前記出力機器が前記二次カラーパッチデータに基づいて出力した二次カラーパッチ上の各サンプル色を測色する二次カラーパッチ測色ステップと、
前記二次カラーパッチの測色結果に基づいて色変換テーブルを作成する色変換テーブル作成ステップとを含むことを特徴とする色変換テーブル作成方法。
【請求項２】
請求項１記載の色変換テーブル作成方法において、
前記色変換テーブルに基づいてＩＣＣプロファイルを作成するＩＣＣプロファイル作成ステップを含むことを特徴とする色変換テーブル作成方法。
【請求項３】
請求項１記載の色変換テーブル作成方法において、
前記代表色決定ステップでは、
前記各基本色毎に、その基本色の一次色グラデーションパッチ上のサンプル色を、測色結果の差分が前記測色結果に応じて決まる閾値以内となるサンプル色同士のグループにグループ分けし、各グループから代表色とするサンプル色を１つずつ選択する処理を行うことを特徴とする色変換テーブル作成方法。
【請求項４】
請求項３記載の色変換テーブル作成方法において、
前記代表色決定ステップでは、
前記一次カラーパッチの測色結果に基づいて前記出力機器の色再現域を求め、
色空間全体に対する前記求めた色再現域の割合を求め、
該割合に基づいて前記閾値を決定することを特徴とする色変換テーブル作成方法。
【請求項５】
請求項１記載の色変換テーブル作成方法において、
前記代表色決定ステップの代わりに、
ユーザによって指定された代表色の数に基づいて、サンプル色をグループ分けする際に使用する閾値を決定し、
前記各基本色毎に、その基本色の一次色グラデーションパッチ上のサンプル色を、測色結果の差分が前記閾値以内となるサンプル色同士のグループにグループ分けし、
各グループから代表色とするサンプル色を１つずつ選択する代表色選択ステップを含むことを特徴とする色変換テーブル作成方法。
【請求項６】
請求項１乃至５記載の何れか１つの色変換テーブル作成方法において、
前記出力機器が、プリンタ或いはディスプレイ装置であることを特徴とする色変換テーブル作成方法。
【請求項７】
請求項１乃至６記載の何れか１つの色変換テーブル作成方法において、
前記基本色が、ＣＭＹＫであることを特徴とする色変換テーブル作成方法。
【請求項８】
ターゲットとする出力機器が出力した、複数の基本色それぞれの一次色グラデーションパッチからなる一次カラーパッチを測色対象にして、前記一次カラーパッチ上の各サンプル色をそれぞれ測色すると共に、前記出力機器が出力した二次カラーパッチを測色対象として前記二次カラーパッチ上の各サンプル色を測色する測色手段と、
前記測色手段で測色した前記一次カラーパッチの測色結果に基づいて、前記各基本色毎に代表色とするサンプル色を複数決定する代表色決定手段と、
該代表色決定手段で決定した各代表色の一次色、二次色及び三次色をサンプル色として含む二次カラーパッチを、前記出力機器から出力させるための二次カラーパッチデータを作成する二次カラーパッチデータ作成手段と、
前記測色手段で測色した前記二次カラーパッチの測色結果に基づいて色変換テーブルを作成する色変換テーブル作成手段とを備えたことを特徴とする色変換テーブル作成装置。
【請求項９】
請求項８記載の色変換テーブル作成装置において、
前記色変換テーブルに基づいてＩＣＣプロファイルを作成するＩＣＣプロファイル作成手段を備えたことを特徴とする色変換テーブル作成装置。
【請求項１０】
請求項８記載の色変換テーブル作成装置において、
前記代表色決定手段が、
前記各基本色毎に、その基本色の一次色グラデーションパッチ上のサンプル色を、測色結果の差分が前記測色結果に応じて決まる閾値以内となるサンプル色同士のグループにグループ分けし、各グループから代表色とするサンプル色を１つずつ選択する構成を有することを特徴とする色変換テーブル作成装置。
【請求項１１】
請求項１０記載の色変換テーブル作成装置において、
前記代表色決定手段が、
前記一次カラーパッチの測色結果に基づいて前記出力機器の色再現域を求め、
色空間全体に対する前記求めた色再現域の割合を求め、
該割合に基づいて、前記閾値を決定する構成を有することを特徴とする色変換テーブル作成装置。
【請求項１２】
請求項１０記載の色変換テーブル作成装置において、
前記代表色決定手段の代わりに、
ユーザによって指定された代表色の数に基づいて、サンプル色をグループ分けする際に使用する閾値を決定し、
前記各基本色毎に、その基本色の一次色グラデーションパッチ上のサンプル色を、測色結果の差分が前記閾値以内となるサンプル色同士のグループにグループ分けし、
各グループから代表色とするサンプル色を１つずつ選択する代表色選択手段を備えたことを特徴とする色変換テーブル作成装置。
【請求項１３】
請求項８乃至１２記載の何れか１つの色変換テーブル作成装置において、
前記出力機器が、プリンタ或いはディスプレイ装置であることを特徴とする色変換テーブル作成装置。
【請求項１４】
請求項８乃至１３記載の何れか１つの色変換テーブル作成装置において、
前記基本色が、ＣＭＹＫであることを特徴とする色変換テーブル作成装置。
【請求項１５】
ターゲットとする出力機器が出力した、複数の基本色それぞれの一次色グラデーションパッチからなる一次カラーパッチを測色対象にして、前記一次カラーパッチ上の各サンプル色をそれぞれ測色すると共に、前記出力機器が出力した二次カラーパッチを測色対象として前記二次カラーパッチ上の各サンプル色を測色する測色手段を備えたコンピュータを、
前記測色手段で測色した前記一次カラーパッチの測色結果に基づいて、前記各基本色毎に代表色とするサンプル色を複数決定する代表色決定手段、
該代表色決定手段で決定した各代表色の一次色、二次色及び三次色をサンプル色として含む二次カラーパッチを、前記出力機器から出力させるための二次カラーパッチデータを作成する二次カラーパッチデータ作成手段、
前記測色手段で測色した前記二次カラーパッチの測色結果に基づいて色変換テーブルを作成する色変換テーブル作成手段として機能させるためのプログラム。
【請求項１６】
請求項１５記載のプログラムにおいて、
前記コンピュータを、
前記色変換テーブルに基づいてＩＣＣプロファイルを作成するＩＣＣプロファイル作成手段として機能させるためのプログラム。
【請求項１７】
請求項１５記載のプログラムにおいて、
前記代表色決定手段が、
前記各基本色毎に、その基本色の一次色グラデーションパッチ上のサンプル色を、測色結果の差分が前記測色結果に応じて決まる閾値以内となるサンプル色同士のグループにグループ分けし、各グループから代表色とするサンプル色を１つずつ選択する構成を有することを特徴とするプログラム。
【請求項１８】
請求項１７記載のプログラムにおいて、
前記代表色決定手段が、
前記一次カラーパッチの測色結果に基づいて前記出力機器の色再現域を求め、
色空間全体に対する前記求めた色再現域の割合を求め、
該割合に基づいて、前記閾値を決定する構成を有することを特徴とするプログラム。
【請求項１９】
請求項１７記載のプログラムにおいて、
前記代表色決定手段の代わりに、
ユーザによって指定された代表色の数に基づいて、サンプル色をグループ分けする際に使用する閾値を決定し、
前記各基本色毎に、その基本色の一次色グラデーションパッチ上のサンプル色を、測色結果の差分が前記閾値以内となるサンプル色同士のグループにグループ分けし、
各グループから代表色とするサンプル色を１つずつ選択する代表色選択手段を備えたことを特徴とするプログラム。
【発明の詳細な説明】
【０００１】
【発明の属する技術分野】
本発明は、ターゲットにするプリンタ等の出力機器から出力されたカラーパッチ上の各サンプル色を測色し、その測色結果に基づいてカラーマッチングに使用する色変換テーブルを作成する技術に関し、特に、カラーパッチに使用するサンプル色を少なくしても精度の高い色変換テーブルを作成することができる色変換テーブル作成技術に関する。
【０００２】
【従来の技術】
画像をプリンタ、ディスプレイ装置等の出力機器へ出力する際、カラーマッチングを行うために色変換テーブルが使用されている。例えば、画像をプリンタにより印刷する場合には、画像の各画素の値をＲＧＢのような加法混色系座標値から減法混色系座標値（ＣＭＹＫ）に変換するための色変換テーブルが使用される。
【０００３】
ところで、カラーマッチングに使用される色変換テーブルを作成する場合、従来は、一般に、次のようにしている。先ず、ターゲットとする出力機器から複数のサンプル色を配置したカラーパッチを出力する。その後、出力機器から出力されたカラーパッチ上の各サンプル色を測色し、測色結果に基づいて色変換テーブルを作成する。ここで、カラーパッチのサンプル色を多くすればするほど、精度の高い色変換テーブルを生成することができるが、サンプル色を多くすると、測色に多くの時間が費やされてしまう。また、反対にカラーパッチのサンプル色を少なくすると、測色に要する時間を短縮することはできるが、色変換テーブルの精度が悪くなってしまう。
【０００４】
そこで、カラーパッチのサンプル色数を少なくしても精度の良い色変換テーブルを作成できるようにするため、従来は次のようにしている。先ず、ターゲットとする出力機器から複数のサンプル色を配置したカラーパッチを出力する。次いで、出力機器から出力されたカラーパッチ上の各サンプル色を測色する。その後、カラーパッチ上には存在しない、サンプル色間に位置する中間色の値を、サンプル色の測色値を補間することにより推定する。そして、最後に、実際に測色したサンプル色の測色値と、補間により推定した中間色の値とに基づいて色変換テーブルを作成する（例えば、特許文献１、２参照）。
【０００５】
【特許文献１】
特開昭６３−２５４８８８号公報
【特許文献２】
特開２０００−５００９０号公報
【０００６】
【発明が解決しようとする課題】
上述した従来の技術は、サンプル色間の中間色の値を、補間により推定しているので、カラーパッチのサンプル色数を少なくし、測色に要する時間を短くすることができる。しかし、中間色の値は、あくまで補間により推定したものであるので、十分に精度の高い色変換テーブルを作成することは難しいという問題がある。
【０００７】
そこで、本発明の目的は、カラーパッチのサンプル色数を少なくしても、精度の高い色変換テーブルを作成できるようにすることにある。
【０００８】
【課題を解決するための手段】
本発明の色変換テーブル作成方法は、上記目的を達成するため、
ターゲットとする出力機器が出力した、複数の基本色それぞれの一次色グラデーションパッチからなる一次カラーパッチを測色対象にして、前記一次カラーパッチ上の各サンプル色をそれぞれ測色する一次カラーパッチ測色ステップと、
前記一次カラーパッチの測色結果に基づいて、前記各基本色毎に代表色とするサンプル色を複数決定する代表色決定ステップと、
該代表色決定ステップで決定した各代表色の一次色、二次色及び三次色をサンプル色として含む二次カラーパッチを、前記出力機器から出力させるための二次カラーパッチデータを作成する二次カラーパッチデータ作成ステップと、
前記出力機器が前記二次カラーパッチデータに基づいて出力した二次カラーパッチ上の各サンプル色を測色する二次カラーパッチ測色ステップと、
前記二次カラーパッチの測色結果に基づいて色変換テーブルを作成する色変換テーブル作成ステップとを含む。
【０００９】
また、本発明の色変換テーブル作成方法は、
前記色変換テーブルに基づいてＩＣＣプロファイルを作成するＩＣＣプロファイル作成ステップを含む。
【００１０】
また、本発明の色変換テーブル作成方法は、
前記代表色決定ステップでは、
前記各基本色毎に、その基本色の一次色グラデーションパッチ上のサンプル色を、測色結果の差分が前記測色結果に応じて決まる閾値以内となるサンプル色同士のグループにグループ分けし、各グループから代表色とするサンプル色を１つずつ選択する処理を行う。
【００１１】
また、本発明の色変換テーブル作成方法は、
前記代表色決定ステップでは、
前記一次カラーパッチの測色結果に基づいて前記出力機器の色再現域を求め、
色空間全体に対する前記求めた色再現域の割合を求め、
該割合に基づいて、前記閾値を決定する。
【００１２】
また、本発明の色変換テーブル作成方法は、
前記代表色決定ステップの代わりに、
ユーザによって指定された代表色の数に基づいて、サンプル色をグループ分けする際に使用する閾値を決定し、
前記各基本色毎に、その基本色の一次色グラデーションパッチ上のサンプル色を、測色結果の差分が前記閾値以内となるサンプル色同士のグループにグループ分けし、
各グループから代表色とするサンプル色を１つずつ選択する代表色選択ステップを含む。
【００１３】
また、本発明の色変換テーブル作成装置は、上記目的を達成するため、
ターゲットとする出力機器が出力した、複数の基本色それぞれの一次色グラデーションパッチからなる一次カラーパッチを測色対象にして、前記一次カラーパッチ上の各サンプル色をそれぞれ測色すると共に、前記出力機器が出力した二次カラーパッチを測色対象として前記二次カラーパッチ上の各サンプル色を測色する測色手段と、
前記測色手段で測色した前記一次カラーパッチの測色結果に基づいて、前記各基本色毎に代表色とするサンプル色を複数決定する代表色決定手段と、
該代表色決定手段で決定した各代表色の一次色、二次色及び三次色をサンプル色として含む二次カラーパッチを、前記出力機器から出力させるための二次カラーパッチデータを作成する二次カラーパッチデータ作成手段と、
前記測色手段で測色した前記二次カラーパッチの測色結果に基づいて色変換テーブルを作成する色変換テーブル作成手段とを備えている。
【００１４】
また、本発明の色変換テーブル作成装置は、
前記色変換テーブルに基づいてＩＣＣプロファイルを作成するＩＣＣプロファイル作成手段を備えている。
【００１５】
また、本発明の色変換テーブル作成装置は、
前記代表色決定手段が、
前記各基本色毎に、その基本色の一次色グラデーションパッチ上のサンプル色を、測色結果の差分が前記測色結果に応じて決まる閾値以内となるサンプル色同士のグループにグループ分けし、各グループから代表色とするサンプル色を１つずつ選択する構成を有する。
【００１６】
また、本発明の色変換テーブル作成装置は、
前記代表色決定手段が、
前記一次カラーパッチの測色結果に基づいて前記出力機器の色再現域を求め、
色空間全体に対する前記求めた色再現域の割合を求め、
該割合に基づいて、前記閾値を決定する構成を有する。
【００１７】
また、本発明の色変換テーブル作成装置は、
前記代表色決定手段の代わりに、
ユーザによって指定された代表色の数に基づいて、サンプル色をグループ分けする際に使用する閾値を決定し、
前記各基本色毎に、その基本色の一次色グラデーションパッチ上のサンプル色を、測色結果の差分が前記閾値以内となるサンプル色同士のグループにグループ分けし、
各グループから代表色とするサンプル色を１つずつ選択する代表色選択手段を備えている。
【００１８】
【作用】
ターゲットの出力機器（例えば、プリンタやディスプレイ装置）は、複数の基本色（例えば、ＣＭＹＫ）それぞれの一次色グラデーションパッチからなる一次カラーパッチを出力する。測色手段は、一次カラーパッチ上の各サンプル色をそれぞれ測色する。その後、代表色決定手段が、一次カラーパッチの測色結果に基づいて、各基本色毎に代表色とするサンプル色を複数決定する。ここで、一次カラーパッチの測色結果は、出力機器の色再現域の輪郭部及びその近傍に存在するので、上記測色結果に基づいて代表色を決定することにより、出力機器の色再現域に応じた代表色を決定することができる。例えば、一次カラーパッチの測色結果に基づいて出力機器の色再現域を求め、この色再現域の色空間全体に対する割合に基づいて閾値を決定し、各基本色毎に、その基本色の一次色グラデーションパッチ上のサンプル色を、測色結果の差分が上記閾値以内となるサンプル色同士のグループにグループ分けし、各グループから代表色とするサンプル色を１つずつ選択することにより、ターゲットとしている出力機器の色再現域に応じた代表色を決定する。
【００１９】
代表色決定手段によって代表色が決定されると、二次カラーパッチデータ作成手段が、代表色の一次色、二次色及び三次色をサンプル色として含む二次カラーパッチを、出力機器から出力させるための二次カラーパッチデータを作成する。ターゲットの出力機器は、上記二次カラーパッチデータに基づいて二次カラーパッチを出力する。ここで、二次カラーパッチは、代表色の一次色、二次色及び三次色をサンプル色として含むので、出力機器の色再現域の全てをカバーするものとなる。その後、測色手段により、二次カラーパッチ上の各サンプル色を測色し、色変換テーブル作成手段が、二次カラーパッチの測色結果に基づいて色変換テーブルを作成する。
【００２０】
【発明の実施の形態】
次に本発明の実施の形態について図面を参照して詳細に説明する。
【００２１】
図１は本発明に係る色変換テーブル作成装置の実施例のブロック図であり、コンピュータ１と、記憶装置２と、測定装置３と、記録媒体４、５とから構成されている。
【００２２】
記憶装置２は、一次カラーパッチデータ記憶部２１と、一次カラーパッチ測色結果記憶部２２と、二次カラーパッチデータ記憶部２３と、二次カラーパッチ測色結果記憶部２４と、色変換テーブル記憶部２５と、ＩＣＣ（Ｉｎｔｅｒｎａｔｉｏｎａｌ　Ｃｏｌｏｒ　Ｃｏｎｓｏｒｔｉｕｍ）プロファイル記憶部２６とを備えている。
【００２３】
一次カラーパッチデータ記憶部２１には、ターゲットとする出力機器（本実施例ではプリンタとする）に、一次カラーパッチを印刷させるための一次カラーパッチデータが格納されている。
【００２４】
一次カラーパッチは、図２（Ａ）に示すように、基本色Ｃ、Ｍ、Ｙ、Ｋ（シアン、マゼンタ、イエロー、黒）それぞれの一次色グラデーションパッチ２０１、２０２、２０３、２０４から構成されている。基本色Ｃ、Ｍ、Ｙ、Ｋの一次色グラデーションパッチ２０１、２０２、２０３、２０４には、それぞれ２５６階調のサンプル色Ｃ０〜Ｃ２５５、Ｍ０〜Ｍ２５５、Ｙ０〜Ｙ２５５、Ｋ０〜Ｋ２５５が配置されている。
【００２５】
また、図２（Ａ）に示すような一次カラーパッチを印刷させるための一次カラーパッチデータは、画素のＣＭＹＫ値をそれぞれ８ｂｉｔで表した、３２ｂｉｔ構成のデータである。例えば、Ｍの一次色グラデーションパッチ２０２上のサンプル色Ｍ０、Ｍ１、…、Ｍ２５４、Ｍ２５５を表すデータは、それぞれ”００００００００００００００００００００００００００００００００”、”０００００００００００００００１００００００００００００００００”、…、”００００００００１１１１１１１０００００００００００００００００”、”００００００００１１１１１１１１００００００００００００００００”となる。
【００２６】
一次カラーパッチ測色結果記憶部２２には、一次カラーパッチ上の各サンプル色Ｃ０〜Ｃ２５５、Ｍ０〜Ｍ２５５、Ｙ０〜Ｙ２５５、Ｋ０〜Ｋ２５５の測色結果が格納される。本実施例では、測色結果として３刺激値Ｘ、Ｙ、Ｚが格納されるとする。
【００２７】
二次カラーパッチデータ記憶部２３には、ターゲットとするプリンタに、二次カラーパッチを印刷させるための二次カラーパッチデータが格納される。二次カラーパッチには、図２（Ｂ）に示すように、一次カラーパッチの測色結果に基づいて決定した、各基本色に対する代表色（各基本色に対してそれぞれ複数の代表色が存在する）の一次色、二次色、三次色がサンプル色Ｄ０〜Ｄｎとして配置される。また、図２（Ｂ）に示すような二次カラーパッチを印刷させるための二次カラーパッチデータは、一次カラーパッチデータと同様の構成を有する。なお、代表色については、後で詳細に説明する。
【００２８】
二次カラーパッチ測色結果記憶部２４には、二次カラーパッチ上の各サンプル色Ｄ０〜Ｄｎの測色結果（３刺激値）が格納される。
【００２９】
色変換テーブル記憶部２５には、コンピュータ１によって作成された色変換テーブルが格納される。
【００３０】
ＩＣＣプロファイル記憶部２６には、コンピュータ１によって作成されたＩＣＣプロファイルが格納される。
【００３１】
測定装置３は、分光反射率計などによって実現されるものであり、一次カラーパッチ、二次カラーパッチ上の各サンプル色を測色する。本実施例では、３刺激値Ｘ、Ｙ、Ｚを測定するものとする。
【００３２】
コンピュータ１は、入力手段１１と、代表色決定手段１２と、二次カラーパッチデータ作成手段１３と、出力手段１４と、色変換テーブル作成手段１５と、ＩＣＣプロファイル作成手段１６とを含んでいる。
【００３３】
入力手段１１は、測定装置３が測定した一次カラーパッチ上の各サンプル色の３刺激値を一次カラーパッチ測色結果記憶部２２に格納する機能や、測定装置３が測定した二次カラーパッチ上の各サンプル色の３刺激値を二次カラーパッチ測色結果記憶部２４に格納する機能を有する。
【００３４】
代表色決定手段１２は、一次カラーパッチ測色結果記憶部２２に格納されている、一次カラーパッチ上の各サンプル色の３刺激値に基づいて、基本色Ｃ、Ｍ、Ｙ、Ｋ毎に、複数の代表色を決定する機能を有する。
【００３５】
二次カラーパッチデータ作成手段１３は、代表色決定手段１２で決定された各基本色Ｃ、Ｍ、Ｙ、Ｋ毎の代表色に基づいて、代表色の一次色、二次色及び三次色をサンプル色として含む二次カラーパッチを印刷するための二次カラーパッチデータを作成し、二次カラーパッチデータ記憶部２３に格納する機能を有する。
【００３６】
出力手段１４は、ユーザの指示に従い、一次カラーパッチデータ記憶部２１に格納されている一次カラーパッチデータや、二次カラーパッチデータ記憶部２３に格納されている二次カラーパッチデータをフレキシブルディスクなどの記録媒体４に出力する機能を有する。
【００３７】
色変換テーブル作成手段１５は、二次カラーパッチ測色結果記憶部２４に格納されている二次カラーパッチの測色結果に基づいて色変換テーブルを作成し、色変換テーブル記憶部２５に格納する機能を有する。
【００３８】
ＩＣＣプロファイル作成手段１６は、色変換テーブル記憶部２５に格納されている色変換テーブル等に基づいてＩＣＣプロファイルを作成し、ＩＣＣプロファイル記憶部２６に格納する機能を有する。
【００３９】
記録媒体５は、ディスク、半導体メモリ、その他の記録媒体であり、コンピュータ１を色変換テーブル作成装置の一部として機能させるためのプログラムが記録されている。このプログラムは、コンピュータによって読み取られ、その動作を制御することで、コンピュータ１上に、入力手段１１、代表色決定手段１２、二次カラーパッチデータ作成手段１３、出力手段１４、色変換テーブル作成手段１５及びＩＣＣプロファイル作成手段１６を実現する。
【００４０】
【実施例の動作の説明】
次に本実施例の動作について詳細に説明する。
【００４１】
ユーザは、ターゲットのプリンタ（図示せず）に一次カラーパッチを印刷させるために、出力手段１４を使用して一次カラーパッチデータ記憶部２１に格納されている一次カラーパッチデータを記録媒体４に出力する。その後、ターゲットのプリンタの設置場所に出向き、プリンタ制御用のコンピュータに記録媒体４をセットし、ターゲットのプリンタに一次カラーパッチを印刷させる（図３、ステップＳ３１）。
【００４２】
図２（Ａ）に示すような一次カラーパッチがターゲットのプリンタにより印刷されると、ユーザは、測定装置３を用いて一次カラーパッチ上の各サンプル色Ｃ０〜Ｃ２５５、Ｍ０〜Ｍ２５５、Ｙ０〜Ｙ２５５、Ｋ０〜Ｋ２５５の３刺激値を測定する（ステップＳ３２）。測定した３刺激値は、入力手段１１によって一次カラーパッチ測色結果記憶部２２に格納される。
【００４３】
その後、代表色決定手段１２が、一次カラーパッチ測色結果記憶部２２に格納された各サンプル色Ｃ０〜Ｃ２５５、Ｍ０〜Ｍ２５５、Ｙ０〜Ｙ２５５、Ｋ０〜Ｋ２５５の３刺激値Ｘ、Ｙ、Ｚに基づいて、各基本色Ｃ、Ｍ、Ｙ、Ｋ毎に代表色を決定する（ステップＳ３３）。このステップＳ３３の処理を詳しく説明すると、次のようになる（図４参照）。
【００４４】
先ず、測定した各サンプル色Ｃ０〜Ｃ２５５、Ｍ０〜Ｍ２５５、Ｙ０〜Ｙ２５５、Ｋ０〜Ｋ２５５の３刺激Ｘ、Ｙ、Ｚに基づいて、ターゲットとしているプリンタの色再現域を求める（図４、ステップＳ４１）。今、例えば、プリンタの色再現域を、図５に示すような均等色空間による色度図で表すとすると、３刺激値Ｘ、Ｙ、Ｚに対応する座標値ｘ、ｙは、プリンタの色再現域５２の輪郭部及びその近傍に存在することになるので、各サンプル色Ｃ０〜Ｃ２５５、Ｍ０〜Ｍ２５５、Ｙ０〜Ｙ２５５、Ｋ０〜Ｋ２５５の３刺激値Ｘ、Ｙ、Ｚに基づいて、輪郭部分を求めることにより、プリンタの色再現域５２を求めることができる。なお、色度図のｘ、ｙ座標値と３刺激値Ｘ、Ｙ、Ｚとは、次式（１）、（２）に示す関係を有する。
【００４５】
ｘ＝４Ｘ／（Ｘ＋１５Ｙ＋３Ｚ）　…　（１）
ｙ＝６Ｙ／（Ｘ＋１５Ｙ＋３Ｚ）　…　（２）
【００４６】
次に、色空間５１全体の面積に対する、色再現域５２の面積の割合を求める（ステップＳ４２）。その後、ステップＳ４１で求めた割合と、一次カラーパッチの測色結果である３刺激値Ｘ、Ｙ、Ｚとに基づいて、各基本色Ｃ、Ｍ、Ｙ、Ｋの代表色を決定するために使用する閾値Ｔｈｃ、Ｔｈｍ、Ｔｈｙ、Ｔｈｋを決定する（ステップＳ４３）。このステップＳ４３の処理を、基本色Ｃの代表色を決定する際に使用する閾値Ｔｈｃを決定する場合を例に挙げて詳しく説明する。
【００４７】
先ず、サンプル色Ｃ０の測色結果ＸＣ０、ＹＣ０、ＺＣ０と、サンプル色Ｃ２５５の測色結果ＸＣ２５５、ＹＣ２５５、ＺＣ２５５とを一次カラーパッチ測色結果記憶部２２から読み出す。その後、次式（３）に示す演算を行うことにより、サンプル色Ｃ０の測色結果ＸＣ０、ＹＣ０、ＺＣ０とサンプル色Ｃ２５５の測色結果ＸＣ２５５、ＹＣ２５５、ＺＣ２５５との差分Ｌを求める。
【００４８】
Ｌ＝｛（ＸＣ２５５−ＸＣ０）２＋（ＹＣ２５５−ＹＣ０）２＋（ＺＣ２５５−ＺＣ０）２｝１／２　…（３）
【００４９】
その後、次式（４）に示す演算を行うことにより、閾値Ｔｈｃを決定する。
【００５０】
Ｔｈｃ＝Ｌ×ｎ÷１００　…　（４）
【００５１】
なお、式（４）において、ｎは色空間５１全体の面積に対するプリンタの色再現域の面積の割合（％）を示している。
【００５２】
他の基本色Ｍ、Ｙ、Ｋについても、基本色Ｃと同様にして閾値Ｔｈｍ、Ｔｈｙ、Ｔｈｋを決定する。
【００５３】
その後、基本色Ｃに関する代表色を決定する（ステップＳ４４）。このステップＳ４４の処理を詳しく説明すると次のようになる（図６参照）。
【００５４】
先ず、ｉ＝２５５、ｊ＝２５４とする（ステップＳ６１）。次いで、サンプル色Ｃｉ＝Ｃ２５５を代表色にするサンプル色として保存する（ステップＳ６２）。
【００５５】
その後、次式（５）に示す演算を行うことにより、サンプル色Ｃｉ＝Ｃ２５５の測色結果ＸＣ２５５、ＹＣ２５５、ＺＣ２５５と、それよりも１階調下のサンプル色Ｃｊ＝Ｃ２５４の測色結果ＸＣ２５４、ＹＣ２５４、ＺＣ２５４との差分ΔＣ２５５，２５４を求める（ステップＳ６３）。
【００５６】
ΔＣ２５５，２５４＝｛（ＸＣ２５５−ＸＣ２５４）２＋（ＹＣ２５５−ＹＣ２５４）２
＋（ＺＣ２５５−ＺＣ２５４）２｝１／２　
…　（５）
【００５７】
次いで、差分ΔＣ２５５，２５４と、図４のステップＳ４３で決定した閾値Ｔｈｃとを比較する（ステップＳ６４）。
【００５８】
そして、差分ΔＣ２５５，２５４の方が小さい場合（ステップＳ６４がＹＥＳ）は、ｊを−１し、サンプル色Ｃｉ＝Ｃ２５５の測色結果ＸＣ２５５、ＹＣ２５５、ＺＣ２５５と、サンプル色Ｃｊ＝Ｃ２５３の測色結果ＸＣ２５３、ＹＣ２５３、ＺＣ２５３との差分ΔＣ２５５，２５３を求め、閾値Ｔｈｃと比較する（ステップＳ６５、Ｓ６６がＮＯ、Ｓ６３、Ｓ６４）。以上の処理を、ステップＳ６４の判断結果がＮＯとなるまで繰り返し行う。今、例えば、ｊ＝２２２とした時の差分ΔＣ２５５，２２２が閾値Ｔｈｃ以上になったとする。
【００５９】
差分ΔＣ２５５，２２２が閾値Ｔｈｃ以上になると（ステップＳ６４がＮＯ）、サンプル色Ｃｊ＝Ｃ２２２を代表色にするサンプル色として保存する（ステップＳ６７）。
【００６０】
その後、ステップＳ６７で代表色としたサンプル色Ｃｉ＝Ｃ２２２の測色結果ＸＣ２２２、ＹＣ２２２、ＺＣ２２２と、それよりも１階調下のサンプル色Ｃｊ＝Ｃ２２１の測色結果ＸＣ２２１、ＹＣ２２１、ＺＣ２２１との差分ΔＣ２２２，２２１を求める（ステップＳ６８、Ｓ６９、Ｓ７０がＮＯ、Ｓ６３）。
【００６１】
以上の処理をｊが０未満となるか（ステップＳ６６がＹＥＳ）、ｉが０となるまで（ステップＳ７０がＮＯ）、繰り返し行う。そして、ステップＳ６６がＹＥＳとなった場合は、代表色決定手段１２は基本色Ｃに対する代表色の決定処理（図４のステップＳ４４）を終了する。また、ステップＳ７０がＹＥＳとなった場合は、代表色決定手段１２は、サンプル色Ｃ０を代表色にするサンプル色として保存した後、基本色Ｃに対する代表色の決定処理（図４のステップＳ４４）を終了する。
【００６２】
基本色Ｃに関する代表色をステップＳ４４において決定すると、代表色決定手段１２は、残りの基本色Ｍ、Ｙ、Ｋに関する代表色を、代表色Ｃと同様にして決定する（ステップＳ４５〜Ｓ４７）。
【００６３】
再び図３に戻り、代表色決定手段１２によって各基本色Ｃ、Ｍ、Ｙ、Ｋの代表色が決定されると、二次カラーパッチデータ作成手段１３が、各基本色Ｃ、Ｍ、Ｙ、Ｋの代表色の一次色（代表色そのもの）、二次色（基本色が異なる２つの代表色を混合したもの）、三次色（基本色が異なる３つの代表色を混合したもの）の全てをサンプル色として配置した二次カラーパッチを印刷するための二次カラーパッチデータを作成し、作成した二次カラーパッチデータを二次カラーパッチデータ記憶部２３に格納する（ステップＳ３４）。
【００６４】
今、例えば、ステップＳ３３で決定された基本色Ｃに対する代表色がＣａ、Ｃｂ（０≦ａ≦ｂ≦２５５）、基本色Ｍに対する代表色がＭａ、Ｍｂ、基本色Ｙに対する代表色がＹａ、Ｙｂ、基本色Ｋに対する代表色がＫａ、Ｋｂであるとすると、代表色の一次色（Ｃａ、Ｃｂ、Ｍａ、Ｍｂ、Ｙａ、Ｙｂ、Ｋａ、Ｋｂ）と、二次色（Ｃａ−Ｍａ、Ｃａ−Ｙａ、Ｃａ−Ｋａ、Ｃｂ−Ｍａ、…、Ｙｂ−Ｋａ、Ｙｂ−Ｋｂ）と、三次色（Ｃａ−Ｍａ−Ｙａ、Ｃａ−Ｍａ−Ｙｂ、Ｃａ−Ｍａ−Ｋａ、…、Ｍｂ−Ｙｂ−Ｋａ、Ｍｂ−Ｙｂ−Ｋｂ）とをサンプル色として含む二次カラーパッチを印刷するための二次カラーパッチデータを作成することになる。なお、Ｃａ−Ｍａ等は、ＣａとＭａとを混合した二次色を、Ｍｂ−Ｙｂ−Ｋａ等はＭｂとＹｂとＫａとを混合した三次色を表している。
【００６５】
二次カラーパッチデータが二次カラーパッチデータ記憶部２３に格納されると、ユーザは、出力手段１４を使用して二次カラーパッチデータ記憶部２３に格納されている二次カラーパッチデータを記憶媒体４に出力する。その後、ユーザは、二次カラーパッチデータが記録された記録媒体４を持ってターゲットのプリンタの設置場所に出向き、プリンタ制御用のコンピュータに記録媒体４をセットすることにより、プリンタに二次カラーパッチを印刷させる（ステップＳ３５）。
【００６６】
図２（Ｂ）に示すような二次カラーパッチが印刷されると、ユーザは、測定装置３を用いて、二次カラーパッチ上の各サンプル色Ｄ０〜Ｄｎの３刺激値を測定する（ステップＳ３６）。測定した３刺激値は、入力手段１１によって二次カラーパッチ測色結果記憶部２４に格納される。
【００６７】
その後、色変換テーブル作成手段１５が、二次カラーパッチ測色結果記憶部２４に格納されている、二次カラーパッチ上の各サンプル色Ｄ０〜Ｄｎの３刺激値と、二次カラーパッチデータ記憶部２３に格納されている、二次カラーパッチ上の各サンプル色Ｄ０〜ＤｎのＣＭＹＫ値との対応関係を表す色変換テーブルを作成し、色変換テーブル記憶部２５に格納する（ステップＳ３７）。
【００６８】
そして、最後に、ＩＣＣプロファイル作成手段１６が、色変換テーブル記憶部２５に格納されている色変換テーブルに基づいて、ＣＭＳ（Ｃｏｌｏｒ　Ｍａｎａｇｅｍｅｎｔ　Ｓｙｓｔｅｍ）で使用される、ターゲットのプリンタの色再現特性を記述したＩＣＣプロファイルを作成し、ＩＣＣプロファイル記憶部２６に格納する（ステップＳ３８）。
【００６９】
【他の実施例】
なお、上述した実施例では、一次カラーパッチの測色結果に基づいて求めた、色空間全体に対するプリンタの色再現域の割合に基づいて、代表色を決定する際に使用する閾値を求めるようにしたが、ユーザが指定した代表色の数に基づいて、閾値を決定するようにしても良い。この場合は、前出の式（４）の代わりに、次式（６）を使用する。
【００７０】
Ｔｈｃ＝Ｌ÷（ユーザが指定した代表色の数）　…　（６）
【００７１】
また、上述した実施例では、ターゲットの出力機器をプリンタとしたが、他の出力機器であっても構わない。例えば、ディスプレイ装置をターゲットにする場合には、先ず、ディスプレイ装置の画面に、一次カラーパッチを表示し、その測色結果に基づいて、前述した実施例と同様にして二次カラーパッチデータを作成する。その後、二次カラーパッチデータに基づいて、ディスプレイ装置の画面に二次カラーパッチを表示し、二次カラーパッチを測色する。そして、測色結果に基づいて、前述した実施例と同様にして色変換テーブルや、ＩＣＣプロファイルを作成する。
【００７２】
【発明の効果】
以上説明したように、本発明によれば、カラーパッチの測色時間を長くすることなく、ターゲットとする出力機器の色再現域に合った精度の良い色変換テーブルを作成することが可能となる。
【００７３】
その理由は、一次カラーパッチの測色結果に基づいて、一次カラーパッチ上のサンプル色の中からターゲットとする出力機器の色再現域に応じた代表色を複数決定し、この代表色の一次色、二次色及び三次色をサンプル色として含む二次カラーパッチを作成し、二次カラーパッチの測色結果に基づいて色変換テーブルを作成するようにしているからである。本発明では、一次カラーパッチと二次カラーパッチの２つのカラーパッチを測色するが、一次カラーパッチは、基本色毎の一次色グラデーションパッチから構成されるものであるので、サンプル色の数は少ない。また、二次カラーパッチは、一次カラーパッチ上のサンプル色の中から選択された代表色の一次色、二次色及び三次色をサンプル色として含むものであるので、サンプル色の数は少ない。従って、カラーパッチの測色時間が長くなることはない。また、出力機器の色再現域に応じた代表色の一次色、二次色及び三次色をサンプル色として含む二次カラーパッチの測色結果に基づいて色変換テーブルを作成するようにしているので、出力機器の色再現域に合った、精度の良い色変換テーブルを作成することができる。
【００７４】
また、本発明によれば、図７に示すように印刷面の面内均一性の取りづらい新聞輪転機等においても、安定している中心部分だけを使用して印刷した一次カラーパッチ、二次カラーパッチを用いて、色変換テーブルやＩＣＣプロファイルを作成することが可能になるので、精度の良い色変換テーブルやＩＣＣプロファイルを作成することが可能になる。
【００７５】
その理由は、一次カラーパッチ、二次カラーパッチのサンプル数を少なくすることができるからである。
【図面の簡単な説明】
【図１】本発明の実施例のブロック図である。
【図２】一次カラーパッチ、二次カラーパッチを説明するための図である。
【図３】実施例の処理の概要を示す流れ図である。
【図４】図３のステップＳ３３で行う処理を詳細に示した流れ図である。
【図５】代表色を決定する際に使用する閾値の決定方法を説明するための図である。
【図６】代表色の決定方法の一例を示す流れ図である。
【図７】新聞輪転機の特性を示した図である。
【符号の説明】
１…コンピュータ
１１…入力手段
１２…代表色決定手段
１３…二次カラーパッチデータ作成手段
１４…出力手段
１５…色変換テーブル作成手段
１６…ＩＣＣプロファイル作成手段
２…記憶装置
２１…一次カラーパッチデータ記憶部
２２…一次カラーパッチ測色結果記憶部
２３…二次カラーパッチデータ記憶部
２４…二次カラーパッチ測色結果記憶部
２５…色変換テーブル記憶部
２６…ＩＣＣプロファイル記憶部
３…測定装置
４…記録媒体
５…記録媒体
【図１】
2004112270.tif 000003
【図２】
2004112270.tif 000004
【図３】
2004112270.tif 000005
【図４】
2004112270.tif 000006
【図５】
2004112270.tif 000007
【図６】
2004112270.tif 000008
【図７】
2004112270.tif 000009